(57)【特許請求の範囲】
【請求項１】
レンタル用の配管部材に備えられた情報記録媒体内の情報の読み取り及び書き込みを行うリーダライタ端末と、前記配管部材のレンタルを管理する管理装置とを有するレンタル配管管理システムであって、
前記情報記録媒体は、配管部材の種別と、前記配管部材が洗浄済みであるか未洗浄であるかを示す洗浄情報とを記憶しており、
前記管理装置は、
レンタル注文を識別する注文識別情報と、レンタル対象の配管部材の種別及び数量とを含む伝票データを記憶する管理情報記憶部と、
出荷指示対象のレンタル注文の伝票データを特定する出荷対象特定情報の入力を受ける管理装置入力部と、
前記管理装置入力部が受けた前記出荷対象特定情報により前記管理情報記憶部に記憶されている前記伝票データを特定する出荷対象特定部と、
前記出荷対象特定部が特定した伝票データ内の注文識別情報と配管部材の種別及び数量とを前記リーダライタ端末に出力する出荷指示出力部と、
を備え、
前記リーダライタ端末は、
前記注文識別情報と、レンタル対象の前記配管部材の種別及び数量とを対応付けて記憶する記憶部と、
前記管理装置から前記注文識別情報と配管部材の種別及び数量とを受信し、前記記憶部に書き込む出荷情報書込部と、
出荷対象のレンタル注文の注文識別情報の入力を受ける端末入力部と、
出荷する前記配管部材に備えられた前記情報記録媒体から前記配管部材の種別及び前記洗浄情報を読み出す記録媒体読出部と、
前記端末入力部が受けた前記注文識別情報に対応して前記記憶部に記憶されている前記配管部材の種別毎の数量と、前記記録媒体読出部が読み出した前記配管部材の種別毎の数量とが一致しており、かつ、前記記録媒体読出部が読み出した前記洗浄情報がすべて洗浄済みを示しているか否かを判断した結果を出力する出荷確認部と、
出荷後にレンタル先へ配送された前記配管部材に備えられた前記情報記録媒体が記憶している前記洗浄情報を未洗浄である旨に書き換え、前記レンタル先からの返却後に洗浄された前記配管部材に備えられた前記情報記録媒体が記憶している前記洗浄情報を洗浄済みに書き換える洗浄情報書換部と、
を備える、
ことを特徴とするレンタル配管管理システム。
【請求項２】
前記管理情報記憶部は、前記配管部材の種別ごとに在庫数量を記憶しており、
前記管理装置入力部は、注文されたレンタル対象の前記配管部材の種別及び数量の入力を受け、
前記管理装置は、
前記管理装置入力部が受けた全ての前記配管部材の種別について、前記管理情報記憶部に記憶されている前記配管部材の種別に対応した前記在庫数量が、前記管理装置入力部が受けた前記配管部材の種別に対応した前記数量以上である場合に、注文が受け付け可能である旨を出力する在庫確認部をさらに備える、
ことを特徴とする請求項１に記載のレンタル配管管理システム。
【請求項３】
前記情報記録媒体は、前記配管部材を特定する配管部材識別情報をさらに記憶しており、
前記管理情報記憶部は、前記配管部材識別情報とレンタル回数とを対応付けて記憶し、
前記リーダライタ端末は、
出荷した前記配管部材またはレンタル先から返却された前記配管部材に備えられた前記情報記録媒体から前記記録媒体読出部により読み出された配管部材識別情報を前記管理装置へ送信する通知部をさらに備え、
前記管理装置は、
前記リーダライタ端末から受信した出荷する前記配管部材の配管部材識別情報または返却された前記配管部材の配管部材識別情報に対応して前記管理情報記憶部に記憶されているレンタル回数を、１を加算した回数に書き換える管理情報更新部と、
廃棄と判断されるレンタル回数に対応した前記配管部材識別情報を前記管理情報記憶部から読み出して出力する廃棄対象選択部とをさらに備える、
ことを特徴とする請求項１または請求項２に記載のレンタル配管管理システム。
【請求項４】
前記情報記録媒体は、前記配管部材を特定する配管部材識別情報をさらに記憶しており、
前記管理情報記憶部は、前記配管部材識別情報と、レンタル開始日及び総レンタル期間とを対応付けて記憶し、
前記リーダライタ端末は、
出荷した前記配管部材に備えられた前記情報記録媒体から前記記録媒体読出部により読み出された配管部材識別情報を前記管理装置へ送信する出荷完了通知部と、
レンタル先から返却された前記配管部材に備えられた前記情報記録媒体から前記記録媒体読出部により読み出された配管部材識別情報を前記管理装置へ送信する返却通知部と、
をさらに備え、
前記管理装置は、
前記リーダライタ端末から出荷する前記配管部材の配管部材識別情報を受信し、受信した当該配管部材識別情報に対応してレンタル開始日を前記管理情報記憶部に書き込む出荷完了登録部と、
前記リーダライタ端末から返却された前記配管部材の配管部材識別情報を受信し、受信した当該配管部材識別情報に対応して前記管理情報記憶部に記憶されているレンタル開始日からのレンタル期間を算出し、当該配管部材識別情報に対応して前記管理情報記憶部に記憶されている総レンタル期間を、算出した前記レンタル期間を加算した期間に書き換える返却登録部と、
廃棄と判断される総レンタル期間に対応した前記配管部材識別情報を前記管理情報記憶部から読み出して出力する廃棄対象選択部と、
をさらに備える、
ことを特徴とする請求項１または請求項２に記載のレンタル配管管理システム。
【発明の詳細な説明】
【技術分野】
【０００１】
本発明は、レンタル配管管理システムに関する。
【背景技術】
【０００２】
水道切り替え工事を行う際には仮設用の配管によって一時的なバイパスを組んでいる。これによって、水道を止めることなく工事を進めることができる。一方、特許文献１には、このような仮設用の配管に用いられる、再利用可能なポリエチレン製の仮設水道管について記載されている。
【先行技術文献】
【特許文献】
【０００３】
【特許文献１】特開２００２−１９５４６２号公報
【発明の概要】
【発明が解決しようとする課題】
【０００４】
仮設水道管は、工事の対象となる水道管やその長さによって使用する配管部材の口径や長さなどが異なる。そこで、配管レンタル業者が、工事業者に対して必要な配管部材をレンタルしている。このような配管レンタル業者からは、レンタルする配管部材の衛生面を含んだ安全性を保証しながら、効率的にレンタル管理を行いたいという要望があった。
【０００５】
本発明は、このような事情を考慮してなされたものであり、レンタルする配管部材の衛生面の安全性を保証しながら、効率的にレンタル管理を行うことができるレンタル配管管理システムを提供する。
【課題を解決するための手段】
【０００６】
本発明は、レンタル用の配管部材に備えられた情報記録媒体内の情報の読み取り及び書き込みを行うリーダライタ端末と、前記配管部材のレンタルを管理する管理装置とを有するレンタル配管管理システムであって、前記情報記録媒体は、配管部材の種別と、前記配管部材が洗浄済みであるか未洗浄であるかを示す洗浄情報とを記憶しており、前記管理装置は、レンタル注文を識別する注文識別情報と、レンタル対象の配管部材の種別及び数量とを含む伝票データを記憶する管理情報記憶部と、出荷指示対象のレンタル注文の伝票データを特定する出荷対象特定情報の入力を受ける管理装置入力部と、前記管理装置入力部が受けた前記出荷対象特定情報により前記管理情報記憶部に記憶されている前記伝票データを特定する出荷対象特定部と、前記出荷対象特定部が特定した伝票データ内の注文識別情報と配管部材の種別及び数量とを前記リーダライタ端末に出力する出荷指示出力部と、を備え、前記リーダライタ端末は、前記注文識別情報と、レンタル対象の前記配管部材の種別及び数量とを対応付けて記憶する記憶部と、前記管理装置から前記注文識別情報と配管部材の種別及び数量とを受信し、前記記憶部に書き込む出荷情報書込部と、出荷対象のレンタル注文の注文識別情報の入力を受ける端末入力部と、出荷する前記配管部材に備えられた前記情報記録媒体から前記配管部材の種別及び前記洗浄情報を読み出す記録媒体読出部と、前記端末入力部が受けた前記注文識別情報に対応して前記記憶部に記憶されている前記配管部材の種別毎の数量と、前記記録媒体読出部が読み出した前記配管部材の種別毎の数量とが一致しており、かつ、前記記録媒体読出部が読み出した前記洗浄情報がすべて洗浄済みを示しているか否かを判断した結果を出力する出荷確認部と、出荷後にレンタル先へ配送された前記配管部材に備えられた前記情報記録媒体が記憶している前記洗浄情報を、未洗浄である旨に書き換え、前記レンタル先からの返却後に洗浄された前記配管部材に備えられた前記情報記録媒体が記憶している前記洗浄情報を洗浄済みに書き換える洗浄情報書換部と、を備える、ことを特徴とするレンタル配管管理システムである。
【０００７】
本発明は、上述するレンタル配管管理システムであって、前記管理情報記憶部は、前記配管部材の種別ごとに在庫数量を記憶しており、前記管理装置入力部は、注文されたレンタル対象の前記配管部材の種別及び数量の入力を受け、前記管理装置は、前記管理装置入力部が受けた全ての前記配管部材の種別について、前記管理情報記憶部に記憶されている前記配管部材の種別に対応した前記在庫数量が、前記管理装置入力部が受けた前記配管部材の種別に対応した前記数量以上である場合に、注文が受け付け可能である旨を出力する在庫確認部をさらに備える、ことを特徴とする。
【０００８】
本発明は、上述するレンタル配管管理システムであって、前記情報記録媒体は、前記配管部材を特定する配管部材識別情報をさらに記憶しており、前記管理情報記憶部は、前記配管部材識別情報とレンタル回数とを対応付けて記憶し、前記リーダライタ端末は、出荷した前記配管部材またはレンタル先から返却された前記配管部材に備えられた前記情報記録媒体から前記記録媒体読出部により読み出された配管部材識別情報を前記管理装置へ送信する通知部をさらに備え、前記管理装置は、前記リーダライタ端末から受信した出荷する前記配管部材の配管部材識別情報または返却された前記配管部材の配管部材識別情報に対応して前記管理情報記憶部に記憶されているレンタル回数を、１を加算した回数に書き換える管理情報更新部と、廃棄と判断されるレンタル回数に対応した前記配管部材識別情報を前記管理情報記憶部から読み出して出力する廃棄対象選択部とをさらに備える、ことを特徴とする。
なお、廃棄と判断される前記レンタル回数を、検査結果が不良であった配管部材の配管部材識別情報に対応して前記管理情報記憶部に記憶されている前記レンタル回数以上の回数としてもよい。
【０００９】
本発明は、上述するレンタル配管管理システムであって、前記情報記録媒体は、前記配管部材を特定する配管部材識別情報をさらに記憶しており、前記管理情報記憶部は、前記配管部材識別情報と、レンタル開始日及び総レンタル期間とを対応付けて記憶し、前記リーダライタ端末は、出荷した前記配管部材に備えられた前記情報記録媒体から前記記録媒体読出部により読み出された配管部材識別情報を前記管理装置へ送信する出荷完了通知部と、レンタル先から返却された前記配管部材に備えられた前記情報記録媒体から前記記録媒体読出部により読み出された配管部材識別情報を前記管理装置へ送信する返却通知部と、をさらに備え、前記管理装置は、前記リーダライタ端末から出荷する前記配管部材の配管部材識別情報を受信し、受信した当該配管部材識別情報に対応してレンタル開始日を前記管理情報記憶部に書き込む出荷完了登録部と、前記リーダライタ端末から返却された前記配管部材の配管部材識別情報を受信し、受信した当該配管部材識別情報に対応して前記管理情報記憶部に記憶されているレンタル開始日からのレンタル期間を算出し、当該配管部材識別情報に対応して前記管理情報記憶部に記憶されている総レンタル期間を、算出した前記レンタル期間を加算した期間に書き換える返却登録部と、廃棄と判断される総レンタル期間に対応した前記配管部材識別情報を前記管理情報記憶部から読み出して出力する廃棄対象選択部と、をさらに備える、ことを特徴とする。
なお、廃棄と判断される前記総レンタル期間を、検査結果が不良であった配管部材の配管部材識別情報に対応して前記管理情報記憶部に記憶されている前記総レンタル期間以上の期間としてもよい。
【発明の効果】
【００１０】
本発明によれば、レンタルする配管部材の衛生面を含んだ安全性を保証しながら、効率的にレンタル管理を行うことが可能となる。
【図面の簡単な説明】
【００１１】
【図１】本発明の一実施形態によるレンタル配管管理システムの全体構成を示す図である。
【図２】同実施形態によるレンタル配管管理システムを用いた配管レンタルの工程を示す図である。
【図３】同実施形態によるレンタル配管管理システムを用いた配管レンタルの工程を示す図である。
【図４】同実施形態によるＩＣタグを添付したレンタル用の配管部材の外観図である。
【図５】同実施形態による管理装置の内部構成を示すブロック図である。
【図６】同実施形態によるリーダライタ端末の内部構成を示すブロック図である。
【図７】同実施形態によるＩＣタグに記憶されるデータ例を示す図である。
【図８】同実施形態による管理装置の管理情報記憶部に記憶される管理テーブルのデータ構成を示す図である。
【図９】同実施形態による管理装置の管理情報記憶部に記憶される在庫テーブルのデータ構成を示す図である。
【図１０】同実施形態による管理装置の管理情報記憶部に記憶される伝票データを示す図である。
【図１１】同実施形態によるリーダライタ端末の記憶部に記憶される出荷指図書データのデータ構成例を示す図である。
【図１２】同実施形態によるリーダライタ端末の記憶部に記憶される引取指図書データのデータ構成例を示す図である。
【図１３】同実施形態による受注工程におけるレンタル配管管理システムの処理手順を示す図である。
【図１４】同実施形態による出荷工程におけるレンタル配管管理システムの処理手順を示す図である。
【図１５】同実施形態による出荷工程におけるレンタル配管管理システムの処理手順を示す図である。
【図１６】同実施形態による返却工程におけるレンタル配管管理システムの処理手順を示す図である。
【図１７】同実施形態による洗浄工程におけるレンタル配管管理システムの処理手順を示す図である。
【図１８】同実施形態による検品工程におけるレンタル配管管理システムの処理手順を示す図である。
【発明を実施するための形態】
【００１２】
以下、図面を参照しながら本発明の実施形態を詳細に説明する。
【００１３】
図１は、本発明の一実施形態によるレンタル配管管理システムの全体構成を示す図である。同図に示すように、レンタル配管管理システムは、管理装置１及びリーダライタ端末２を備えて構成される。管理装置１とリーダライタ端末２とはネットワーク５を介して通信する。管理装置１及びリーダライタ端末２は、ネットワーク５に無線により接続してもよく、有線により接続してもよい。また、リーダライタ端末２は、ネットワーク５へ直接接続せず、ネットワーク５に接続されるコンピュータ端末とＵＳＢ（Universal Serial Bus）などにより接続し、このコンピュータ端末を介して管理装置１とデータの送受信をおこなってもよい。リーダライタ端末２は、レンタル用の資材である配管部材３に添付されている情報記録媒体であるＩＣタグ４に記憶された情報の読み取りや書き込みを行なう。同図においては、リーダライタ端末２を１台のみ示しているが、複数台がネットワーク５に接続され得る。
【００１４】
図２及び図３は、図１のレンタル配管管理システムを用いた配管レンタルの工程を示す図である。配管レンタルには、受注、出荷、返却、洗浄、検品の工程がある。なお、配管レンタル業者の部材管理工場が管理装置１を保有する。また、配管レンタル業者と、運送会社のそれぞれが、リーダライタ端末２を保有する。以下、配管レンタル業者が保有するリーダライタ端末２をリーダライタ端末２ａと記載し、運送会社が保有するリーダライタ端末２ｂと記載する。ここでは、運送会社が出荷工程及び返却工程においてリーダライタ端末２ｂを用い、配管レンタル業者が洗浄工程及び検品工程においてリーダライタ端末２ａを用いる。
【００１５】
図２に示す受注工程において、工事業者などの顧客は、配管レンタル業者の営業所の職員に連絡を入れ、配管レンタルを発注する(ステップＳ１１）。営業所の職員は、工事業者から配管レンタルを受注すると（ステップＳ１３）、配管レンタル業者の部材管理工場が保有する管理装置１に受注伝票を入力する（ステップＳ１５）。部材管理工場の職員は、管理装置１によって、受注伝票に示されたレンタル対象の配管部材３の在庫があるかを確認する（ステップＳ１７）。在庫の確認がＯＫであれば、部材管理工場の職員は、管理装置１に受注の確定を入力する（ステップＳ１９）。管理装置１は、この入力に従って、受注したレンタル注文（以下、単に「注文」と記載）の情報を記憶する。部材管理工場の職員は、レンタルする配管部材３の納期を営業所の職員に連絡し（ステップＳ２１）、さらに、営業所の職員は、この納期を顧客に連絡する（ステップＳ２３）。
【００１６】
出荷工程において、配管レンタル業者の部材管理工場の職員は、受注した注文に対する出荷指示を管理装置１に入力する（ステップＳ２５）。管理装置１は、出荷が指示された注文の出荷指図書を印刷する。部材管理工場の職員は、この印刷された出荷指図書を運送会社に送付する。また、管理装置１は、運送会社が保有しているリーダライタ端末２ｂに出荷指図書のデータを出力する。運送会社の担当者は、配管レンタル業者の部材管理工場に出向く。運送会社の担当者は、出荷指図書を見ながら在庫から配管部材３をピッキングする。運送会社の担当者は、ピッキングした配管部材３のＩＣタグ４から配管部材３の種別や、洗浄済みであるかなどの情報をリーダライタ端末２ｂにより読み出して出荷の確認を行なう（ステップＳ２７）。確認がＯＫであった場合、運送会社の担当者はピッキングした配管部材３を梱包し（ステップＳ２９）、出荷する（ステップＳ３１）。運送会社の担当者は、梱包された配管材３を出荷指図書に示される顧客が指示した住所に運送し、納品する（ステップＳ３３）。納品の際、運送会社の担当者は、リーダライタ端末２ｂによって、運送した配管部材３のＩＣタグ４を読み取って確認を行なうとともに、確認後、配管部材３のＩＣタグ４に未洗浄を書き込む。
【００１７】
図３に示す返却工程において、配管レンタル業者の部材管理工場の職員は、レンタル中の配管部材３の返却日を営業所の職員に連絡し（ステップＳ５１）、営業所の職員はこの返却日を顧客へ連絡する（ステップＳ５３、Ｓ５５）。部材管理工場の職員は、レンタルした配管部材３の引取指示を管理装置１に入力する（ステップＳ５７）。管理装置１は、引取指示の入力に応じて、引取指示の内容を示す引取指図書を印刷する。部材管理工場の職員は、印刷された引取指図書を運送会社に送付する。また、管理装置１は、運送会社が保有しているリーダライタ端末２ｂに引取指図書のデータを出力する。運送会社の担当者は、引取指図書により指示された顧客の住所に赴く。顧客が配管部材３を返却すると、運送会社の担当者は、返却された配管部材３のＩＣタグ４をリーダライタ端末２ｂにより読み出し、返却された配管部材３がレンタルした配管部材３と一致するかの確認を行なう（ステップＳ６１）。確認がＯＫであった場合、運送会社の担当者は、返却された配管部材３を配管レンタル業者の部材管理工場へ運送する（ステップＳ６３）。部材管理工場の職員は、返却された配管部材３の確認を行なう（ステップＳ６５）。
【００１８】
洗浄工程において、配管レンタル業者の洗浄工場は、顧客から部材管理工場へ返却された配管部材３を洗浄及び殺菌（以下、洗浄及び殺菌を単に「洗浄」と記載する。）する（ステップＳ６７）。配管レンタル業者の部材管理工場の職員は、リーダライタ端末２ａにより、洗浄工場で洗浄された配管部材３のＩＣタグ４に洗浄済みを書き込み、在庫に戻す（ステップＳ６９）。
【００１９】
配管レンタルの注文があると、上述したように受注、出荷、返却、洗浄の工程が順に行なわれる。一方、検品の工程は、随時行なわれる。検品の工程において、配管レンタル業者の部材管理工場の検査担当者は、現在の在庫の中から配管部材３を抜き出して検査を行なう（ステップＳ７１）。部材管理工場の検査担当者は、検査に合格しなかった配管部材３のＩＣタグをリーダライタ端末２ａにより読み取り、リーダライタ端末２ａが読み取り取った配管部材３の情報を管理装置１に入力する。この入力により、管理装置１は、検査に合格しなかった配管部材３よりも総レンタル期間が長い、または、レンタル回数が多い配管部材３の情報を廃棄候補として画面上に表示する（ステップＳ７３）。
【００２０】
なお、上述の例では、配管レンタル業者が、営業所、部材管理工場、洗浄工場を有するものとして説明しているが、これらの全てを別の業者であってもよく、一部のみを別の業者としてもよい。また、配管レンタル業者が運送業者を兼ねてもよい。
【００２１】
図４は、ＩＣタグ４が添付されたレンタル用の配管部材３の外観図である。配管部材３は、ポリエチレン製のパイプや継手であり、外側は損傷防止の保護層に覆われている。ＩＣタグ４は、配管部材３の保護層の上に添付されており、防食テープで巻いて固定されている。ＩＣタグ４は、データの記録用のメモリと、データの処理回路と、データを無線周波数で搬送するためのアンテナとを備える。本実施形態では、ＩＣタグ４をパッシブタグとすることにより、小型化している。
【００２２】
図５は、管理装置１の内部構成を示すブロック図であり、本実施形態と関係する機能ブロックのみ抽出して示してある。管理装置１は、例えば、サーバなどのコンピュータ装置により実現することができ、制御部１０１、入力部１０２、表示部１０３、通信部１０４、管理情報記憶部１０５、及び、情報処理部１０６を備えて構成される。
【００２３】
制御部１０１は、ＣＰＵ（central processing unit）及び各種メモリから構成され、各部の制御や、データの一時的な格納や、データの転送等を行う。入力部１０２は、キーボード、マウス、タッチパネル、ボタンやキーなどでありユーザが入力した情報を受信する。表示部１０３は、ＬＣＤ（Liquid Crystal Display）などのディスプレイである。通信部１０４は、ネットワーク５を介して他の装置との間でデータの送受信を行う。
【００２４】
管理情報記憶部１０５は、管理テーブル、在庫テーブル、伝票データなどの各種情報を記憶する。管理テーブルは、各配管部材３を管理するためのデータであり、各配管部材３を一意に特定する配管部材識別情報と、配管部材識別情報により特定される配管部材３の種別、管理状態、総レンタル期間、レンタル回数、洗浄回数などを対応づけた情報を示す。在庫テーブルは、配管部材３の種別毎の在庫数量を示す。伝票データは、配管レンタルの注文に関する各種情報を記憶し、注文（伝票データ）を一意に特定するオーダー番号、発注元の顧客、レンタルが注文された配管部材３の種別及び数量、レンタルされた配管部材３の配管部材識別情報などを示す。
【００２５】
情報処理部１０６は、受注管理部１１０、出荷管理部１２０、返却管理部１３０、洗浄情報登録部１４０、及び、廃棄対象選択部１５０を備える。
受注管理部１１０は、受注工程に関する処理を実行し、部材変換部１１１、在庫確認部１１２、及び、伝票登録部１１３を備える。部材変換部１１１は、入力された受注伝票データに含まれる配管図データから、配管部材３の種別及び数量を得る。在庫確認部１１２は、管理情報記憶部１０５に記憶されている在庫テーブルを参照し、部材変換部１１１において得られた全ての種別の配管部材３について在庫数量があるか否かを判断する。伝票登録部１１３は、在庫確認部１１２において在庫があると判断された場合、入力された受注伝票データに基づいて伝票データを生成し、管理情報記憶部１０５に書き込む。
【００２６】
出荷管理部１２０は、出荷工程に関する処理を実行し、出荷対象特定部１２１、出荷指示出力部１２２、及び、出荷完了登録部１２３を備える。出荷対象特定部１２１は、入力された出荷対象特定情報により、管理情報記憶部１０５に記憶されている伝票データを特定する。出荷指示出力部１２２は、出荷対象特定部１２１が特定した伝票データに基づいて出荷指図書データを生成し、リーダライタ端末２に送信する。出荷指図書データは、オーダー番号、レンタル先の顧客、レンタルする配管部材３の種別及び数量などの情報を含む。また、出荷指示出力部１２２は、出荷指図書データに基づいて出荷指図書を印刷するよう指示する。出荷完了登録部１２３は、出荷された配管部材３の配管部材識別情報をリーダライタ端末２から受信し、管理情報記憶部１０５に記憶されている管理テーブルに、受信した配管部材識別情報の配管部材３が出荷されたことを示す情報を書き込むとともに、伝票データに受信した配管部材識別情報を書き込む。
【００２７】
返却管理部１３０は、返却工程に関する処理を実行し、引取対象特定部１３１、引取指示出力部１３２、及び、返却登録部１３３を備える。引取対象特定部１３１は、入力された引取対象特定情報により、管理情報記憶部１０５に記憶されている伝票データを特定する。引取指示出力部１３２は、引取対象特定部１３１が特定した伝票データに基づいて引取指図書データを生成し、リーダライタ端末２に送信する。引取指図書データは、オーダー番号、レンタル先の顧客、レンタルした配管部材３の種別及び数量ならびに配管部材識別情報などを含む。また、引取指示出力部１３２は、生成した引取指図書データに基づいて引取指図書を印刷するよう指示する。返却登録部１３３は、返却された配管部材３の配管部材識別情報を受信し、管理情報記憶部１０５に記憶されている管理テーブルに、受信した配管部材識別情報の配管部材３が返却されたことを示す情報を書き込むとともに、総レンタル期間及びレンタル回数を更新する。
【００２８】
洗浄情報登録部１４０は、洗浄工程に関する処理を実行する。洗浄情報登録部１４０は、洗浄された配管部材３の配管部材識別情報をリーダライタ端末２から受信し、管理情報記憶部１０５に記憶されている管理テーブルに、受信した配管部材識別情報の配管部材３が在庫に戻された旨を書き込むとともに、洗浄回数を更新する。廃棄対象選択部１５０は、廃棄工程に関する処理を実行する。廃棄対象選択部１５０は、リーダライタ端末２ａから試験の結果不良であった配管部材３の配管部材識別情報を受信する。廃棄対象選択部１５０は、管理情報記憶部１０５に記憶されている在庫テーブルを参照して、受信した配管部材識別情報の配管部材３の総レンタル期間以上、または、レンタル回数以上の配管部材３を特定し、特定した配管部材３の情報を読み出して出力する。
【００２９】
図６は、リーダライタ端末２の内部構成を示すブロック図であり、本発明と関係する機能ブロックのみ抽出して示してある。リーダライタ端末２は、例えば、ＩＣタグリーダライタにより実現することができ、制御部２０１、入力部２０２、表示部２０３、通信部２０４、記憶部２０５、記録媒体読出部２０６、記録媒体書込部２０７、及び、情報処理部２０８を備えて構成される。
【００３０】
制御部２０１は、ＣＰＵ及び各種メモリから構成され、各部の制御や、データの一時的な格納や、データの転送等を行う。入力部２０２は、タッチパネル、ボタンやキーなどであり、ユーザが入力した情報を受信する。表示部２０３は、ＬＣＤなどのディスプレイである。通信部２０４は、ネットワーク５を介して管理装置１とデータの送受信を行う。記憶部２０５は、出荷指図書データ、引取指図書データなどの各種情報を記憶する。記録媒体読出部２０６は、ＩＣタグ４に記憶されている情報を読み出す。記録媒体書込部２０７は、ＩＣタグ４に情報を書き込む。
【００３１】
情報処理部２０８は、出荷処理部２１０、引取処理部２２０、洗浄情報書替部２３０、洗浄完了通知部２４０、及び、検査不良通知部２５０を備える。
出荷処理部２１０は、出荷工程に関する処理を実行し、出荷情報書込部２１１、出荷確認部２１２、及び、出荷完了通知部２１３を備える。出荷情報書込部２１１は、管理装置１から受信した出荷指図書データを記憶部２０５に書き込む。出荷確認部２１２は、出荷指図書データが示す配管部材３の種別及び数量と、出荷のためにピッキングされた配管部材３のＩＣタグ４から読み出された種別及び数量を照合する。さらに、ピッキングされた配管部材３のＩＣタグ４から読み出された洗浄情報が全て洗浄済みであるかを判断し、その結果を出力する。出荷完了通知部２１３は、出荷した注文のオーダー番号と、実際に出荷した配管部材３の配管部材識別情報を管理装置１に通知する。
【００３２】
引取処理部２２０は、返却工程に関する処理を実行し、引取情報書込部２２１、返却確認部２２２、及び、返却通知部２２３を備える。引取情報書込部２２１は、管理装置１から受信した引取指図書データを記憶部２０５に書き込む。返却確認部２２２は、引取指図書データが示す配管部材３の配管部材識別情報と、返却された配管部材３のＩＣタグ４から読み出された配管識別情報を照合する。返却通知部２２３は、返却された注文のオーダー番号と、返却された配管部材３の配管部材識別情報及び種別を管理装置１に通知する。
【００３３】
洗浄情報書替部２３０は、記録媒体書込部２０７により、配管部材３のＩＣタグ４に記憶されている洗浄情報を書き換える。洗浄完了通知部２４０は、洗浄済みの配管部材３のＩＣタグ４から読み出された配管部材識別情報を管理装置１に通知する。検査不良通知部２５０は、検査に合格しなかった配管部材３のＩＣタグ４から読み出された配管部材識別情報を管理装置１に通知する。
【００３４】
次に各種データの構成例を示す。
【００３５】
図７は、ＩＣタグ４に記憶されるデータ例を示す図である。同図に示すように、ＩＣタグ４には、タグＩＤ、ＩＣタグ４が添付されている配管部材３の種別、洗浄情報等が記憶される。タグＩＤは、個々のＩＣタグ４に個別の番号であり、ＩＣタグ４内のメモリの書替不可領域に予め書き込まれるか、配管部材３を最初に在庫として入庫する前に書き込む。本実施形態では、このタグＩＤを配管部材識別情報として用いる。洗浄情報は、配管部材３が洗浄済みであるか未洗浄であるかを示すフラグである。
【００３６】
図８は、管理装置１の管理情報記憶部１０５に記憶される管理テーブルのデータ構成例を示す。同図に示すように、管理テーブルは、各配管部材３の資産番号、資産名、種別、管理状態、タグＩＤ、レンタル回数、総レンタル期間、洗浄回数などが設定されたレコードにより構成される。
【００３７】
図９は、管理装置１の管理情報記憶部１０５に記憶される在庫テーブルのデータ構成例を示す。同図に示すように、在庫テーブルは、配管部材３の種別毎の在庫数量を示す。在庫数量は、レンタル可能な数量である。
【００３８】
図１０は、管理装置１の管理情報記憶部１０５に記憶される伝票データのデータ構成例を示す。同図に示すように、伝票データは、オーダー番号、顧客ＩＤ、レンタル期間、配送日、返却日、レンタル部材情報、配管図データ等の情報を含む。顧客ＩＤは、配管レンタルを発注した顧客を一意に特定する。配送日は、レンタルする配管部材３を顧客に配送した日を示す。返却日は、レンタルした配管部材３が顧客から返却された日を示す。レンタル部材情報は、レンタルが注文された配管部材３の種別及び数量と、実際にレンタルされた配管部材３のＩＣタグ４から読み出されたタグＩＤとを示す。配管図データは、配管部材３がどのように接続されるかの配管図を示す。
【００３９】
図１１は、リーダライタ端末２の記憶部２０５に記憶される出荷指図書データのデータ構成例を示す。同図に示すように、出荷指図書データは、オーダー番号、顧客ＩＤ、顧客名、顧客住所、出荷部材等を示す。出荷部材は、レンタルする配管部材３の種別及び数量を示す。
【００４０】
図１２は、リーダライタ端末２の記憶部２０５に記憶される引取指図書データのデータ構成例を示す。同図に示すように、引取指図書データは、オーダー番号、顧客ＩＤ、顧客名、顧客住所、レンタル部材情報等を示す。レンタル部材情報は、伝票データ内のレンタル部材情報と同様である。
【００４１】
続いて、レンタル配管管理システムの処理手順について説明する。
まず、配管レンタル業者の部材管理工場の職員は、レンタル用の配管部材３にＩＣタグ４を取り付ける。ＩＣタグ４には予めタグＩＤが書替えできないように記憶されており、部材管理工場の職員は、配管部材３にＩＣタグ４を取り付ける前または後に、リーダライタ端末２ａあるいはＩＣタグリーダライタにより、配管部材３の種別や洗浄情報等の情報をＩＣタグ４に書き込む。また、管理装置１の管理情報記憶部１０５に管理テーブルを登録しておく。
【００４２】
図１３は、受注工程におけるレンタル配管管理システムの処理手順を示す。
配管レンタル業者の部材管理工場の職員は、管理装置１の入力部１０２により受注伝票データを入力する（ステップＳ１０５）。あるいは、管理装置１の通信部１０４が、営業所の端末から受注伝票データを受信してもよい。受注伝票データには、オーダー番号、顧客ＩＤ、レンタル期間、配管図データなどの情報が含まれる。配管図データは、顧客が作成してもよく、配管レンタル業者の営業所や部材管理工場の職員が作成してもよい。
【００４３】
受注管理部１１０が入力された受注伝票データを受信すると、部材変換部１１１は、受注伝票データに含まれる配管図データから、配管部材３の種別とその数量を得る（ステップＳ１１０）。例えば、配管図データには、配管を構成する配管部材の形状を表すイメージデータと、当該イメージデータの配置位置と、配管部材３のサイズとの組み合わせの情報が含まれる。部材変換部１１１は、配管図データに含まれる各イメージデータについて、イメージデータが示す形状と、当該イメージデータに対応付けられたサイズの情報とから、配管部材３の種別を決定する。配管図データに含まれる全てのイメージデータについて種別を決定した後、配管部材３の種別毎の数量を得る。なお、配管図データから、配管部材３の種別毎の数量を得る方法として、任意の既存の技術を用いることができる。ここで得られた種別を注文種別、注文数量と記載する。
【００４４】
在庫確認部１１２は、管理情報記憶部１０５に記憶されている在庫テーブルを参照し、ステップＳ１１０において得られた注文種別全てについて注文数量以上の在庫があるかを判断する（ステップＳ１１５）。すなわち、在庫確認部１１２は、注文種別に対応して在庫テーブルに設定されている在庫数量が当該注文種別の注文数量以上であるかを、ステップＳ１１０において得られた全ての注文種別それぞれについて判断する。
【００４５】
在庫確認部１１２は、全ての注文種別について在庫があると判断した場合（ステップＳ１１５：ＹＥＳ）、在庫がある旨のメッセージを表示部１０３に表示させる（ステップＳ１２０）。配管レンタル業者の職員は、在庫がある旨のメッセージを確認すると、入力部１０２により受注確定を入力する(ステップＳ１２５）。伝票登録部１１３は、入力部１０２から受注確定を受信すると、ステップＳ１１０において得られた全ての注文種別それぞれについて、注文種別に対応して在庫テーブルに設定されている在庫数量を、当該注文種別の注文数量を減算した数量に更新する（ステップＳ１３０）。
【００４６】
伝票登録部１１３は、ステップＳ１０５において入力された受注伝票データ内の情報と、ステップＳ１１０において得られた注文種別及び注文数量からなるレンタル部材情報を設定した伝票データを生成し、管理情報記憶部１０５に書き込む（ステップＳ１３５）。なお、オーダー番号は、伝票登録部１１３において割り当ててもよい。
ステップＳ１１１において、在庫確認部１１２は、いずれかの注文種別について在庫があると判断した場合（ステップＳ１１５：ＮＯ）、在庫がない旨のメッセージを表示部１０３に表示させる（ステップＳ１４０）。この場合、部材の種類や数量を変えるなどした後、再びステップＳ１１５からの処理をおこなってもよい。
【００４７】
図１４及び図１５は、出荷工程におけるレンタル配管管理システムの処理手順を示す。
図１４において、配管レンタル業者の部材管理工場の職員は、管理装置１の入力部１０２により、出荷を行なう注文の伝票データを特定する出荷対象特定情報を入力する（ステップＳ２０５）。出荷対象特定情報には、例えば、オーダー番号を用いるが、顧客ＩＤ、レンタル期間の開始日などを用いることができる。出荷管理部１２０の出荷対象特定部１２１は、出荷指示特定情報をキーにして管理情報記憶部１０５に記憶されている伝票データを特定する（ステップＳ２１０）。
【００４８】
出荷指示出力部１２２は、ステップＳ２１０において特定された伝票データから読み出したオーダー番号、顧客ＩＤ及びレンタル部材情報と、顧客ＩＤにより特定される顧客名、顧客住所の情報とを含む出荷指図書データを生成する。顧客名、顧客住所は、予め管理情報記憶部１０５に顧客ＩＤと対応付けて記憶されている顧客データから読み出す。出荷指示出力部１２２は、管理装置１に接続されているプリンタに、生成した出荷指図書データを印刷するよう指示する（ステップＳ２１５）。さらに、出荷指示出力部１２２は、出荷指図書データを運送会社のリーダライタ端末２ｂに送信するよう通信部１０４に指示する。通信部１０４は、ネットワーク５を介してリーダライタ端末２ｂに出荷指図書データを送信する（ステップＳ２２０）。リーダライタ端末２ｂの出荷情報書込部２１１は、通信部２０４を介して出荷指図書データを受信し、記憶部２０５に書き込む（ステップＳ２２５）。
【００４９】
配管レンタル業者の部材管理工場の職員は、ステップＳ２１５において印刷された出荷指図書を運送会社へ送付する。運送会社の担当者は、配管レンタル業者の部材管理工場において、出荷指図書に従って配管部材３のピッキングを行う。運送会社の担当者は、リーダライタ端末２ｂの入力部２０２により、出荷指図書に記載されているオーダー番号を入力する（ステップＳ２３０）。出荷確認部２１２は、オーダー番号により記憶部２０５に記憶されている出荷指図書データを特定する（ステップＳ２３５）。続いて運送会社の担当者は、リーダライタ端末２ｂの記録媒体読出部２０６により、出荷指図書に従ってピッキングした全ての配管部材３のＩＣタグ４から、タグＩＤ、種別、洗浄情報を読み取る（ステップＳ２４０）。リーダライタ端末２ｂの表示部２０３には、読み取られたタグＩＤ、種別、洗浄情報が表示される。
【００５０】
リーダライタ端末２ｂの出荷確認部２１２は、記録媒体読出部２０６が読み取った各種別に対応したタグＩＤの個数をカウントし、当該種別についてピッキングした配管部材３の数量を得る（ステップＳ２４５）。出荷確認部２１２は、ピッキングした各種別の配管部材３の数量と、特定した出荷指図書データにより示される各種別の数量とが一致しているかを判断する（ステップＳ２５０）。出荷確認部２１２は、両者が一致していると判断した場合（ステップＳ２５０：ＹＥＳ）、さらに、ステップＳ２４０において読み出した全ての洗浄情報が洗浄済みを示しているかを判断する（ステップＳ２５５）。出荷確認部２１２は、全ての洗浄情報が洗浄済みを示していると判断した場合（ステップＳ２５５：ＹＥＳ）、確認ＯＫを表示部２０３に表示させる（ステップＳ２６０）。出荷確認部２１２は、ステップＳ２４０において読み出したタグＩＤと種別の組を、ステップＳ２３５において特定した出荷指図書データと関連付けて記憶部２０５に書き込む（ステップＳ２６５）。ピッキングされた配管部材３は梱包されて車に積み込まれた後、運送会社の担当者により、レンタル先の顧客に配送される。
なお、ステップＳ２５０において、両者が一致していないと判断した場合（ステップＳ２５０：ＮＯ）、または、ステップＳ２５５において、読み出したいずれかの洗浄情報が未洗浄を示している場合（ステップＳ２５５：ＮＯ）、出荷確認部２１２は、確認ＮＧを表示部２０３に表示させる（ステップＳ２７０）。
【００５１】
図１５において、レンタル先に配管部材３を配送した運送会社の担当者は、リーダライタ端末２ｂの入力部２０２により、出荷指図書に記載されているオーダー番号を入力する（ステップＳ３０５）。出荷確認部２１２は、オーダー番号により記憶部２０５に記憶されている出荷指図書データを特定する（ステップＳ３１０）。続いて運送会社の担当者は、配送した全ての配管部材３のＩＣタグ４から、タグＩＤ、種別、洗浄情報をリーダライタ端末２ｂの記録媒体読出部２０６により読み取る（ステップＳ３１５）。
【００５２】
リーダライタ端末２ｂの出荷確認部２１２は、ステップＳ３１０において特定した出荷指図書データに対応して記憶部２０５に記憶されているタグＩＤと、ステップＳ３１５において読み取ったタグＩＤとが一致しているかを判断する（ステップＳ３２０）。出荷確認部２１２は、両者が一致していると判断した場合（ステップＳ３２０：ＹＥＳ）、さらに、ステップＳ３１５において読み出した全ての洗浄情報を表示部２０３に表示させる（ステップＳ３２５）。
【００５３】
顧客が表示されている全ての洗浄情報が洗浄済みを示していること確認した後、リーダライタ端末２ｂの入力部２０２によりＯＫ（確認）が入力される（ステップＳ３３０：ＹＥＳ）。出荷完了通知部２１３は、ステップＳ３１０において特定した出荷指図書データに対応して出荷日を書き込む。運送会社の担当者は、リーダライタ端末２ｂの記録媒体書込部２０７により、配送した全ての配管部材３のＩＣタグ４に記憶されている洗浄情報を未洗浄に書き換える（ステップＳ３３５）。
【００５４】
リーダライタ端末２ｂの出荷完了通知部２１３は、記憶部２０５から配送日が設定されている出荷指図書データ内のオーダー番号及び出荷日を読み出すとともに、当該出荷指図書データに対応付けられているタグＩＤ及び種別の組を読み出す。出荷完了通知部２１３は、読み出したこれらの情報を出荷完了情報として管理装置１に送信するよう通信部１０４に指示する。通信部１０４は、ネットワーク５を介して出荷完了情報を管理装置１に送信する（ステップＳ３４０）。
【００５５】
管理装置１の出荷完了登録部１２３は、通信部２０４を介してリーダライタ端末２ｂから出荷完了情報を受信する（ステップＳ３４５）。出荷完了登録部１２３は、出荷完了情報内のオーダー番号により、管理情報記憶部１０５に記憶されている伝票データを特定する（ステップＳ３５０）。出荷完了登録部１２３は、特定した伝票データに、出荷完了情報内の出荷日を書き込む。さらに、出荷完了登録部１２３は、出荷完了情報に種別と対応して設定されているタグＩＤを、特定した伝票データのレンタル部材情報内に、当該種別と対応させて書き込む（ステップＳ３５５）。出荷完了登録部１２３は、出荷完了情報内のタグＩＤにより、管理情報記憶部１０５に記憶されている管理テーブルのレコードを特定し、特定したレコードの管理状態に「レンタル中」を書き込む。さらに、出荷完了登録部１２３は、特定した管理テーブルのレコードのレンタル回数を、１を加算した回数に更新する（ステップＳ３６０）。
【００５６】
なお、ステップＳ３２０において、リーダライタ端末２ｂの出荷確認部２１２が、特定した出荷指図書データに対応して記憶されているタグＩＤと、ステップＳ３１５において読み取ったタグＩＤとが一致していないと判断した場合（ステップＳ３２０：ＮＯ）、エラーを表示部２０３に表示させて処理を終了する（ステップＳ３６５）。また、ステップＳ３３０においてＯＫが入力されなかった場合、リーダライタ端末２ｂは処理を終了する。
【００５７】
図１６は、返却工程におけるレンタル配管管理システムの処理手順を示す。
図１６において、配管レンタル業者の部材管理工場の職員は、管理装置１の入力部１０２により、引取を行なう注文の伝票データを特定する引取対象特定情報を入力する（ステップＳ４０５）。引取対象特定情報には、例えば、オーダー番号を使用することができるが、顧客ＩＤ、レンタル期間の開始日、出荷日などを使用してもよい。返却管理部１３０の引取対象特定部１３１は、引取指示特定情報をキーにして管理情報記憶部１０５に記憶されている伝票データを特定する（ステップＳ４１０）。
【００５８】
引取指示出力部１３２は、ステップＳ４１０において特定された伝票データから読み出したオーダー番号、顧客ＩＤ及びレンタル部材情報と、顧客ＩＤにより特定される顧客名、顧客住所の情報とを含む出荷指図書データを生成する。引取指示出力部１３２は、管理装置１に接続されているプリンタに、生成した引取指図書データを印刷するよう指示する（ステップＳ４１５）。さらに、引取指示出力部１３２は、引取指図書データを運送会社のリーダライタ端末２ｂに送信するよう通信部１０４に指示する。通信部１０４は、ネットワーク５を介して引取指図書データをリーダライタ端末２ｂに送信する（ステップＳ４２０）。リーダライタ端末２ｂの引取情報書込部２２１は、通信部２０４を介して管理装置１から受信した引取指図書データを記憶部２０５に書き込む（ステップＳ４２５）。
【００５９】
部材管理工場の職員は、ステップＳ４１５において印刷された引取指示書を運送会社へ送付する。運送会社の担当者は、引取指図書に従ってレンタル先の顧客に赴く。担当者は、リーダライタ端末２ｂの入力部２０２により、引取指図書に記載されているオーダー番号を入力する（ステップＳ４３０）。返却確認部２２２は、オーダー番号により記憶部２０５に記憶されている引取指図書データを特定する（ステップＳ４３５）。続いて担当者は、リーダライタ端末２ｂの記録媒体読出部２０６により、顧客から返却された配管部材３のＩＣタグ４から、タグＩＤを読み取る（ステップＳ４４０）。
【００６０】
リーダライタ端末２ｂの返却確認部２２２は、ステップＳ４３５において特定した引取指図書データ内のレンタル部材情報に設定されているタグＩＤと、ステップＳ４４０において読み取ったタグＩＤとが一致しているかを判断する（ステップＳ４４５）。返却確認部２２２は、両者が一致していると判断した場合（ステップＳ４４５：ＹＥＳ）、返却ＯＫを表示部２０３に表示させる（ステップＳ４５０）。返却確認部２２２は、ステップＳ４３５において特定した引取指図書データに対応して返却日を書き込む（ステップＳ４５５）。
【００６１】
リーダライタ端末２ｂの返却通知部２２３は、記憶部２０５から返却日が設定されている引取指図書データ内のオーダー番号、レンタル部材情報、及び、当該引取指図書データに対応付けられた返却日を読み出し、読み出したこれらの情報を返却情報として管理装置１に送信するよう通信部２０４に指示する。通信部２０４は、ネットワーク５を介して返却情報を管理装置１に送信する（ステップＳ４６０）。
【００６２】
管理装置１の返却登録部１３３は、通信部１０４を介してリーダライタ端末２ｂから返却情報を受信する（ステップＳ４６５）。返却登録部１３３は、返却情報内のオーダー番号により、管理情報記憶部１０５に記憶されている伝票データを特定する（ステップＳ４７０）。返却登録部１３３は、特定した伝票データに、返却情報内の返却日を書き込む（ステップＳ４７５）。返却登録部１３３は、特定した伝票データに設定されている出荷日から返却日までの日数をレンタル期間として算出する。返却登録部１３３は、返却情報内のタグＩＤにより、管理情報記憶部１０５に記憶されている管理テーブルのレコードを特定し、特定したレコードの管理状態に「返却」を書き込む。さらに、返却登録部１３３は、特定した管理テーブルのレコードの総レンタル期間を、算出したレンタル期間を加算した期間に更新する（ステップＳ４８０）。返却登録部１３３は、ステップＳ４７５において更新した伝票データの内容、ステップＳ４８０において更新した管理テーブルのレコードの内容の一部または全部を表示部１０３に表示させる。
運送会社の担当者は顧客から返却された配管部材３を配管レンタル業者の部材管理工場に運送する。
【００６３】
なお、ステップＳ４４５において、リーダライタ端末２ｂの返却確認部２２２は、特定した引取指図書データ内のレンタル部材情報に設定されているタグＩＤと、読み取ったタグＩＤとが一致していないと判断した場合（ステップＳ４４５）、エラーを表示部２０３に表示させ、処理を終了する（ステップＳ４８５）。
【００６４】
図１７は、洗浄工程におけるレンタル配管管理システムの処理手順を示す。
配管レンタル業者の部材管理工場の職員は、返却された配管部材３を洗浄工場に運び、洗浄工場の職員は、運ばれた配管部材３を洗浄工場で洗浄した後、部材管理工場に返却する。部材管理工場の職員は、洗浄工場から返却された洗浄済みの配管部材３のＩＣタグ４に記録されているタグＩＤ及び種別を、リーダライタ端末２ａの記録媒体読出部２０６により読み取る（ステップＳ５０５）。続いて、部材管理工場の職員は、リーダライタ端末２ａの記録媒体書込部２０７により、洗浄済みの配管部材３のＩＣタグ４に記憶されている洗浄情報を洗浄済みに書き換える（ステップＳ５１０）。リーダライタ端末２ａの洗浄完了通知部２４０は、ステップＳ５０５において読み取ったタグＩＤ及び種別を設定した洗浄済み通知を管理装置１に送信するよう通信部２０４に指示する。通信部２０４は、ネットワーク５を介して洗浄済み通知を管理装置１に送信する（ステップＳ５１５）。
【００６５】
管理装置１の洗浄情報登録部１４０は、通信部１０４を介してリーダライタ端末２ａから洗浄済み通知を受信する（ステップＳ５２０）。洗浄情報登録部１４０は、洗浄済み通知に設定されているタグＩＤにより、管理情報記憶部１０５に記憶されている管理テーブルのレコードを特定し、特定したレコードの管理状態に「在庫」を書き込む（ステップＳ５２５）。さらに、洗浄情報登録部１４０は、洗浄済み通知に設定されている各種別に対応するタグＩＤの数をカウントすることによって、種別毎の洗浄済みの配管部材３の数量を得る。そして、洗浄情報登録部１４０は、当該種別と対応づけて在庫テーブルに設定されている在庫数量を、当該種別の洗浄済みの配管部材３の数量を加算した数量に書き換える（ステップＳ５３０）。
ＩＣタグ４の洗浄情報が書き換えられたＩＣタグ４は、在庫として保管される。
【００６６】
図１８は、検品工程におけるレンタル配管管理システムの処理手順を示す図である。部材管理工場の職員は、現在在庫として保管している配管部材３の一部を抜き出して検査を行なう。そして、部材管理工場の職員は、リーダライタ端末２ａの記録媒体読出部２０６により、検査に合格しなかった配管部材３のＩＣタグ４からタグＩＤ及び種別を読み出す。リーダライタ端末２ａの検査不良通知部２５０は、ステップＳ６０５において読み取ったタグＩＤ及び種別を設定した検査不良通知を管理装置１に送信するよう通信部２０４に指示する。通信部２０４は、ネットワーク５を介して検査不良通知を管理装置１に送信する。
【００６７】
管理装置１の廃棄対象選択部１５０は、通信部１０４を介してリーダライタ端末２ａから検査不良通知を受信する（ステップＳ６０５）。廃棄対象選択部１５０は、受信した検査不良通知に設定されているタグＩＤにより管理情報記憶部１０５に記憶されている管理テーブルのレコードを特定し、特定したレコードからレンタル回数及びレンタル期間を読み出す（ステップＳ６１０）。そして、管理テーブルから検査不良通知に設定されている種別と同じ種別が設定されているレコードを特定する。さらに、特定した管理テーブルのレコードから、読み出したレンタル回数以上のレンタル回数、または、読み出したレンタル期間以上のレンタル期間が設定されているレコードを抽出する（ステップＳ６１５）。
【００６８】
廃棄対象選択部１５０は、ステップＳ６１０において特定した管理テーブルのレコード、及び、ステップＳ６２０において抽出した管理テーブルのレコードの設定内容の全て、または、当該レコード内の一部のデータ項目（例えば、資産番号、資産名、種別、管理状態、タグＩＤ、レンタル回数、レンタル期間、資産取得日）の設定値を読み出し、表示部１０３に表示させる（ステップＳ６２０）。
【００６９】
配管レンタル業者の部材管理工場の職員は、表示されている情報に基づいて、廃棄対象の配管部材３を選択し、選択した配管部材３を特定する情報を入力部１０２により入力する（ステップＳ６２５）。廃棄対象選択部１５０は、入力部１０２から入力された情報により特定される配管部材３の資産番号またはタグＩＤが設定されている管理テーブルのレコードを特定し、廃棄を示す管理状態を書き込む（ステップＳ６３０）。さらに、廃棄対象選択部１５０は、検査不良通知に設定されている種別に対応して設定されている在庫テーブルの在庫数量を、廃棄対象として指定された配管部材３の数量を減算した数量に更新する（ステップＳ６３５）。
【００７０】
なお、検査不良通知に複数のタグＩＤ及び種別の組が設定されている場合、各タグＩＤ及び種別の組それぞれについてステップＳ６１０及びステップＳ６１５の処理を行う。
【００７１】
管理装置１は、ステップＳ６１０において読み出したレンタル回数、レンタル期間を種別毎に記憶しておき、その統計から当該種類の配管部材３を廃棄すると判断するための閾値となるレンタル回数、レンタル期間の閾値を決定してもよい。廃棄対象選択部１５０は、管理テーブルに設定されている配管部材３のレンタル回数または総レンタル期間が更新されたとき、当該配管部材３の種類に対応した閾値のレンタル回数、総レンタル期間に達しているかを判断する。更新されたレンタル回数または総レンタル期間が閾値を超えている場合、廃棄対象選択部１５０は、その配管部材３について管理テーブルのレコードから読み出した設定内容の全て、または、当該レコード内の一部のデータ項目（例えば、資産番号、資産名、種別、管理状態、タグＩＤ、レンタル回数、レンタル期間、資産取得日）の設定値を表示部１０３に表示させる。
【００７２】
なお、運送会社が保有するリーダライタ端末２ｂは、洗浄完了通知部２４０、及び、検査不良通知部２５０を備えなくてもよい。また、配管レンタル業者が保有するリーダライタ端末２ａは、出荷処理部２１０、及び、引取処理部２２０を備えなくともよい。
【００７３】
また、受注伝票データには、配管図データに代えて、配管部材３の種別毎の数量が含まれてもよい。この場合、図１３のステップＳ１１０の処理は実行しない。
【００７４】
なお、上記実施形態では、タグＩＤを配管部材識別情報として用いているが、タグＩＤと配管部材識別情報を別にしてもよい。この場合、ＩＣタグ４のメモリの書替え不可領域に、タグＩＤに加えて配管部材識別情報が記憶される。
また、上記実施形態では、管理テーブル内のレンタル回数の更新を図１５のステップＳ３６０において行なっているが、図１６のステップＳ４８０において行なってもよい。
【００７５】
上述した本実施形態のレンタル配管管理システムによれば、レンタルする配管部材の衛生面を含んだ安全性を保証しながら、効率的にレンタル管理を行うことが可能となる。
すなわち、配管部材は目視だけでは洗浄済みであるかを判断することが困難であるが、本実施形態では、レンタル注文をした顧客に、配管部材が洗浄済みであることを保証してレンタルすることができる。
また、検査の結果が不良であった配管部材よりもレンタル回数あるいは総レンタル期間が長い配管部材を廃棄対象として提示することができるため、在庫から品質が低下しているおそれのある配管部材を除くことが可能となる。よって、レンタル対象の配管部材の安全性を保証することができる。
【００７６】
また、配管部材にＩＣタグを備えることにより、複数の配管部材の情報を複数まとめて読み込むことができるため効率的であり、個々の配管部材に洗浄済みであるか否かなどの安全性を保証する情報を記録しておくこともできる。配管部材をパイプ架台や継手用網カゴに積載したまま情報の読書きを行なうことも可能である。加えて、ＩＣタグは、繰り返し洗浄や、繰り返しの埋設、掘り起しを行なっても損傷が少ない。
【００７７】
また、注文の受注時、注文された配管部材について１つでも在庫がない場合にはエラーを出力し、部材が不足したまま受注を確定しないようにしているため、配管部材が不足している状態でレンタル先への出荷が行なわれることがない。
また、配管部材の出荷時や引取時の確認の工数を低減することができる。つまり、配管部材の出荷時に、注文内容と実際に出荷する配管部材の種類及び数量が一致しているかを容易に確認することができ、配送時のミスを低減することも可能となる。また、配管部材の引取時に、レンタルした配管部材が過不足なく返却されたかを容易に確認することができ、返却もれや、レンタルしていない配管部材を引き取ってしまうなどのミスを低減することも可能となる。
【００７８】
上述の管理装置１、及び、リーダライタ端末２は、内部にコンピュータシステムを有している。そして、管理装置１の情報処理部１０６、及び、リーダライタ端末２の情報処理部２０８の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００７９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００８０】
１…管理装置
１０１…制御部
１０２…入力部（管理装置入力部）
１０３…表示部
１０４…通信部
１０５…管理情報記憶部
１０６…情報処理部
１１０…受注管理部
１１１…部材変換部
１１２…在庫確認部
１１３…伝票登録部
１２０…出荷管理部
１２１…出荷対象特定部
１２２…出荷指示出力部
１２３…出荷完了登録部（管理情報更新部）
１３０…返却管理部
１３１…引取対象特定部
１３２…引取指示出力部
１３３…返却登録部（管理情報更新部）
１４０…洗浄情報登録部
１５０…廃棄対象選択部
２…リーダライタ端末
２０１…制御部
２０２…入力部（端末入力部）
２０３…表示部
２０４…通信部
２０５…記憶部
２０６…記録媒体読出部
２０７…記録媒体書込部
２０８…情報処理部
２１０…出荷処理部
２１１…出荷情報書込部
２１２…出荷確認部
２１３…出荷完了通知部（通知部）
２２０…引取処理部
２２１…引取情報書込部
２２２…返却確認部
２２３…返却通知部（通知部）
２３０…洗浄情報書替部
２４０…洗浄完了通知部
２５０…検査不良通知部
３…配管部材
４…ＩＣタグ（情報記録媒体）
【図１】
0005548115.tif 000002
【図２】
0005548115.tif 000003
【図３】
0005548115.tif 000004
【図４】
0005548115.tif 000005
【図５】
0005548115.tif 000006
【図６】
0005548115.tif 000007
【図７】
0005548115.tif 000008
【図８】
0005548115.tif 000009
【図９】
0005548115.tif 000010
【図１０】
0005548115.tif 000011
【図１１】
0005548115.tif 000012
【図１２】
0005548115.tif 000013
【図１３】
0005548115.tif 000014
【図１４】
0005548115.tif 000015
【図１５】
0005548115.tif 000016
【図１６】
0005548115.tif 000017
【図１７】
0005548115.tif 000018
【図１８】
0005548115.tif 000019